(57)【要約】【課題】小形風力発電と蓄電池とを組み合わせて利用することで、風力発電機による電力量を効率よく活用し、この風力発電機による電力を直接商用系統につながないで風力発電機に複雑な制御装置等を設置しないで、その風力発電の設備を設置した需要家の周辺で電気エネルギーの需給を図ることにより、エネルギーコストの低減を図る。【解決手段】風力発電機１を備えた風力発電機設置需要家Ａと、小型の風力発電機１で発電した電気を充電する蓄電池２を備えた蓄電池設置者Ｂと、蓄電池２の電気を利用する中小事業者Ｃと、から成り、風力発電機１により発電した電気の一部を風力発電機設置需要家Ａ内で利用し、その余剰電力は前記蓄電池２に蓄電し、蓄電池２の電気を中小事業者Ｃに供給するように構成した。【選択図】図１
2007318844.tif 000002
【特許請求の範囲】
【請求項１】
風力発電機（１）を備えた風力発電機設置需要家（Ａ）と、
前記風力発電機（１）で発電した電気を充電する蓄電池（２）を備えた蓄電池設置者（Ｂ）と、
前記蓄電池（２）の電気を利用する中小事業者（Ｃ）と、から成り、
前記風力発電機（１）の出力電流と前記風力発電機設置需要家（Ａ）の交流負荷（３）の変化に対し、前記蓄電池（２）に充電する電力を制御する電力制御装置（４）と、を備え、
前記風力発電機（１）により発電した電気の一部を前記風力発電機設置需要家（Ａ）内で利用し、その余剰電力は前記蓄電池（２）に蓄電し、該蓄電池（２）の電気を前記中小事業者（Ｃ）に供給するように構成した、ことを特徴とする小形風力発電蓄電システム。
【請求項２】
前記風力発電機設置需要家（Ａ）は、
商用電源の電力系統（５）の主開閉器（６）と、
該風力発電機設置需要家（Ａ）内の交流負荷（３）に給電すると共に、余剰電力を前記蓄電池設置者（Ｂ）に給電するための風力発電機（１）と、
前記蓄電池設置者（Ｂ）への系統の主開閉器（６）と、を備えた、ことを特徴とする請求項１の小形風力発電蓄電システム。
【請求項３】
前記蓄電池設置者（Ｂ）は、
前記風力発電機（１）からの系統の主開閉器（６）と、該系統に接続した蓄電池（２）と、
前記中小事業者の交流負荷（３）への系統の主開閉器（６）と、を備えた、ことを特徴とする請求項１の小形風力発電蓄電システム。
【請求項４】
前記中小事業者（Ｃ）は、
商用電源の電力系統（５）の主開閉器（６）と、
前記蓄電池（２）からの系統の主開閉器（６）と、
該中小事業者（Ｃ）内の交流負荷（３）と、を備えた、ことを特徴とする請求項１の小形風力発電蓄電システム。
【請求項５】
前記風力発電機設置需要家（Ａ）において、該風力発電機設置需要家（Ａ）内の交流負荷（３）に給電する系統への主開閉器（６）を更に備えた、ことを特徴とする請求項２の小形風力発電蓄電システム。
【請求項６】
前記電力制御装置（４）は、
前記風力発電機（１）の出力電流を検出する出力電流検出手段（１１）と、
前記風力発電機設置需要家（Ａ）内での負荷量を検出する需要家負荷電流検出手段（１２）と、
商用電源等の電力系統（５）からの電流を検出する電流検出手段（１３）と、
前記風力発電機設置需要家（Ａ）から蓄電池設置者（Ｂ）へ流れる電流を検出する電流検出手段（１４）と、
前記蓄電池設置者（Ｂ）から中小事業者（Ｃ）へ流れる電流を検出する電流検出手段（１５）と、から成る、ことを特徴とする請求項１の小形風力発電蓄電システム。
【請求項７】
前記電力制御装置（４）は、前記風力発電機（１）の出力が前記風力発電機設置需要家（Ａ）の交流負荷より低いときに、前記蓄電池（２）への主開閉器（６）を開放するように制御する、ことを特徴とする請求項６の小形風力発電蓄電システム。
【請求項８】
前記電力制御装置（４）は、一定期間の各風力発電機設置需要家（Ａ）、蓄電池設置者（Ｂ）、中小事業者（Ｃ）の電力需給出来高から電力料金を演算する、ことを特徴とする請求項６の小形風力発電蓄電システム。
【請求項９】
風力発電機（１）を備えた風力発電機設置需要家（Ａ）と、各風力発電機（１）で発電した電気を充電する蓄電池（２）を備えた蓄電池設置者（Ｂ）と、該蓄電池（２）の電気を利用する中小事業者（Ｃ）と、から成り、
昼間等の電力需要が多い時に、前記風力発電機（１）で発電した電気は風力発電機設置需要家（Ａ）の交流負荷（３）に給電し、
夜間、休日等の電力需要が少ない時に、前記風力発電機（１）で発電した電気は前記蓄電池設置者（Ｂ）の蓄電池（２）に充電し、
前記蓄電池設置者（Ｂ）の蓄電池（２）から前記中小事業者（Ｃ）へ給電する、ことを特徴とする小形風力発電蓄電システムの制御方法。
【請求項１０】
前記風力発電機設置需要家（Ａ）の風力発電機（１）で発電した電気は前記蓄電池設置者（Ｂ）の蓄電池（２）に充電し、
電力需要の多い時が、土曜日、日曜日、休日である前記中小事業者（Ｃ）に、前記蓄電池設置者（Ｂ）の蓄電池（２）から給電する、ことを特徴とする請求項９の小形風力発電蓄電システムの制御方法。
【発明の詳細な説明】
【技術分野】
【０００１】
本発明は、小形風力発電による電力供給システムに係り、特に一般需要家が設置した小形風力発電機における余剰電力を有効に活用する小形風力発電蓄電システム及びその制御方法に関するものである。
【背景技術】
【０００２】
従来より、風力発電においては、発電する電力が風の状況に影響されるため需要とのバランスから生じる余剰電力等への対応が課題とされてきた。そこで、風力発電等の自家発電の余剰電力を有効に活用する技術が種々提案されている。例えば、特許文献１の特開２０００−６９６７５公報「電力貯蔵電源システム、電力供給方法及び電力給電方法」に示すように、商用系統と自家発系統発電機、太陽光発電、風力発電、燃料電池発電等との間に接続され、商用系統からの交流を直流に変換したり、この直流を前記自家発系統側の定格に合った交流に変換したり、自家発系統からの交流を直流に変換したりする電力変換装置と、この電力変換装置によって変換された直流を充電する蓄電池と、この蓄電池の充放電を制御する充放電制御装置とを具備する電力貯蔵電源システムが提案されている。これは自家発系統から商用系統への余剰電力の回生、即ち逆流を防止すると共に、自家発の高効率一定負荷運転を可能とするものである。
【特許文献１】特開２０００−６９６７５
【０００３】
同様に、特許文献２の特開公報「風力発電装置の制御方法」に示すように、可変ピッチ角の翼を有する風車で発電機を駆動し、発電機にて発電した発電電力を系統送電線へ供給する風力発電装置の制御方法であって、系統消費電力と発電電力を検出するステップと、系統消費電力が発電電力よりも小さいか否かを判定するステップと、系統消費電力が発電電力よりも小さい場合には、ピッチ角を非効率側に調整して発電電力を系統消費電力に一致するように減少制御するステップと、を含む制御方法が提案されている。これは需要電力より大きな発電電力を、風力発電装置における風車を可変ピッチ機構にすることにより需要電力に合わせるものである。
【特許文献２】特開２００３−２５４２２１
【０００４】
同様に、特許文献３の特開公報「電力供給システムにおける余剰電力制御方法」に示すように、風力発電機および太陽電池の少なくとも一方と蓄電池とを具備し、風力発電機、太陽電池、蓄電池はそれぞれ第１ないし第３の電力変換装置を介して共通に負荷に接続され、蓄電池は、風力発電機、太陽電池の発電電力のうちの余剰電力を貯蔵し、風力発電機、前記太陽電池の発電量の低下時に負荷への給電を行う電力供給システムにおける余剰電力制御方法において、第３の電力変換装置により蓄電池の充電電流および充電電圧を検知して余剰電力を監視し、この監視結果に応じて第３の電力変換装置の出力電圧を変化させ、出力電圧の変化に応じて第１、第２の電力変換装置により出力電力を変化させる余剰電力制御方法が提案されている。これは風力発電機から負荷に給電が行われると共にその余剰電力が蓄電池に貯蔵される。風力発電量の低下時は蓄電池により負荷への給電が行われるものである。
【特許文献３】特開２００３−８７９９３
【発明の開示】
【発明が解決しようとする課題】
【０００５】
しかし、特許文献１の「電力貯蔵電源システム、電力供給方法及び電力給電方法」と特許文献３の「電力供給システムにおける余剰電力制御方法」は、風力発電機対蓄電池が１対１であり、風力発電機の発重電力量と需要電力量及び蓄電池の設備容量のバランスが最適なポイントで決定するのが難しいという問題を有していた。
また、風力発電機の電力量を無駄にしないために蓄電池容量を大きくすると設備費がかかり不経済になりやすかった。逆に蓄電池容量を小さくすると、折角の風力発電電力量を無駄にしやすいという問題を有していた。
【０００６】
また、特許文献２の「風力発電装置の制御方法」は、需要電力量に合わせて風力発電電力量を制御することは、折角の風力発電電力量を無駄にすることになるという問題を有していた。
【０００７】
本発明は、かかる問題点を解決するために創案されたものである。すなわち、本発明の目的は、小形風力発電と蓄電池とを組み合わせて利用することで、風力発電機による電力量を効率よく活用し、また、この風力発電機による電力を直接商用系統につながないので風力発電機に複雑な制御装置等を装置する必要がなく、その風力発電機の設備を設置した需要家の周辺で電気エネルギーの需給を図り、エネルギーコストの低減を図ることができる小形風力発電蓄電システム及びその制御方法を提供することにある。
【課題を解決するための手段】
【０００８】
本発明のシステムによれば、風力発電機（１）を備えた風力発電機設置需要家（Ａ）と、前記風力発電機（１）で発電した電気を充電する蓄電池（２）を備えた蓄電池設置者（Ｂ）と、前記蓄電池（２）の電気を利用する中小事業者（Ｃ）と、から成り、前記風力発電機（１）の出力電流と前記風力発電機設置需要家（Ａ）の交流負荷（３）の変化に対し、前記蓄電池（２）に充電する電力を制御する電力制御装置（４）と、を備え、前記風力発電機（１）により発電した電気の一部を前記風力発電機設置需要家（Ａ）内で利用し、その余剰電力は前記蓄電池（２）に蓄電し、該蓄電池（２）の電気を前記中小事業者（Ｃ）に供給するように構成した、ことを特徴とする小形風力発電蓄電システムが提供される。
【０００９】
例えば、前記風力発電機設置需要家（Ａ）は、商用電源の電力系統（５）の主開閉器（６）と、該風力発電機設置需要家（Ａ）内の交流負荷（３）に給電すると共に、余剰電力を前記蓄電池設置者（Ｂ）に給電するための風力発電機（１）と、前記蓄電池設置者（Ｂ）への系統の主開閉器（６）とを備えたものである。
前記蓄電池設置者（Ｂ）は、前記風力発電機（１）からの系統の主開閉器（６）と、該系統に接続した蓄電池（２）と、前記中小事業者の交流負荷（３）への系統の主開閉器（６）とを備えたものである。
前記中小事業者（Ｃ）は、商用電源の電力系統（５）の主開閉器（６）と、前記蓄電池（２）からの系統の主開閉器（６）と、該中小事業者（Ｃ）内の交流負荷（３）とを備えたものである。
前記風力発電機設置需要家（Ａ）において、該風力発電機設置需要家（Ａ）内の交流負荷（３）に給電する系統への主開閉器（６）を更に備えることができる。
【００１０】
前記電力制御装置（４）は、前記風力発電機（１）の出力電流を検出する出力電流検出手段（１１）と、前記風力発電機設置需要家（Ａ）内での負荷量を検出する需要家負荷電流検出手段（１２）と、商用電源等の電力系統（５）からの電流を検出する電流検出手段（１３）と、前記風力発電機設置需要家（Ａ）から蓄電池設置者（Ｂ）へ流れる電流を検出する電流検出手段（１４）と、前記蓄電池設置者（Ｂ）から中小事業者（Ｃ）へ流れる電流を検出する電流検出手段（１５）とから成るものである。
前記電力制御装置（４）は、前記風力発電機（１）の出力が前記風力発電機設置需要家（Ａ）の交流負荷より低いときに、前記蓄電池（２）への主開閉器（６）を開放するように制御することができる。
前記電力制御装置（４）は、一定期間の各風力発電機設置需要家（Ａ）、蓄電池設置者（Ｂ）、中小事業者（Ｃ）の電力需給出来高から電力料金を演算することができる。
【００１１】
本発明の制御方法によれば、風力発電機（１）を備えた風力発電機設置需要家（Ａ）と、各風力発電機（１）で発電した電気を充電する蓄電池（２）を備えた蓄電池設置者（Ｂ）と、該蓄電池（２）の電気を利用する中小事業者（Ｃ）と、から成り、昼間等の電力需要が多い時に、前記風力発電機（１）で発電した電気は風力発電機設置需要家（Ａ）の交流負荷（３）に給電し、夜間、休日等の電力需要が少ない時に、前記風力発電機（１）で発電した電気は前記蓄電池設置者（Ｂ）の蓄電池（２）に充電し、前記蓄電池設置者（Ｂ）の蓄電池（２）から前記中小事業者（Ｃ）へ給電する、ことを特徴とする小形風力発電蓄電システムの制御方法が提供される。
前記風力発電機設置需要家（Ａ）の風力発電機（１）で発電した電気は前記蓄電池設置者（Ｂ）の蓄電池（２）に充電し、
電力需要の多い時が、土曜日、日曜日、休日である前記中小事業者（Ｃ）に、前記蓄電池設置者（Ｂ）の蓄電池（２）から給電することができる。
【発明の効果】
【００１２】
上記構成の発明では、一定の範囲内に所在する複数の風力発電機設置需要家（Ａ）にそれぞれ小型の風力発電機（１）を設置し、各需要家（Ａ）の夜間等の電力需要が少ない時に発電した電力を、その範囲内に設置した蓄電池設置者（Ｂ）の蓄電池（２）に充電しておき、昼間に中小規模の事業所等の中小事業者（Ｃ）に当該蓄電池（２）から給電することができる。従って、風力発電機（１）による風力発電の電力量を無駄なく活用することができる。
直接商用系統（電力系統（５））につながないので風力発電機（１）には、逆潮流防止の複雑な制御装置を設置する必要がない。そこで、全体の設置コストを低減することができる。
【００１３】
風力発電機設置需要家（Ａ）は、昼間の電気料金削減効果の他に夜間売電の収入があり、蓄電池設置者（Ｂ）から買電する中小事業者（Ｃ）は、昼間の電気料金を削減することができる。
風力発電機設置需要家（Ａ）も、蓄電池設置者（Ｂ）から買電する中小事業者（Ｃ）とも電気料金に関するコストを削減することができる。
複数の風力発電機設置需要家（Ａ）に対して、蓄電池設置者（Ｂ）の蓄電池（２）の設備容量を設定できるため、蓄電池（２）の設備単価を割安にすることができる。
【発明を実施するための最良の形態】
【００１４】
本発明の小形風力発電蓄電システムは、風力発電機を備えた風力発電機設置需要家と、その風力発電機による電気を充電する蓄電池を備えた蓄電池設置者と、その蓄電池の電気を利用する中小事業者とから成るシステムである。この風力発電機により発電した電気の一部を風力発電機設置需要家内で利用し、その余剰電力は蓄電池に充電し、蓄電池の電気を中小事業者に供給するシステムである。
【実施例１】
【００１５】
以下、本発明の好ましい実施の形態を図面を参照して説明する。
図１は本発明の実施例１の小形風力発電蓄電システムの基本構成を示すブロック図である。図２は電力制御装置の制御方法の説明図である。図３は電力制御装置の構成を示すブロック図である。
実施例１の小形風力発電蓄電システムは、小形の風力発電機１を備えた風力発電機設置需要家Ａと、この風力発電機１で発電した電気を充電する蓄電池２を備えた蓄電池設置者Ｂと、この蓄電池２の電気を利用する中小事業者Ｃとから成るシステムである。このシステムには、風力発電機１の出力電流と風力発電機設置需要家Ａの交流負荷３の変化に対し、蓄電池２に充電する電力を制御する電力制御装置４とを備えている。風力発電機１で発電した電気の一部を風力発電機設置需要家Ａ内で利用し、その余剰電力は蓄電池２に充電し、蓄電池２の電気を中小事業者Ｃに供給するように電力制御装置４で制御する。
【００１６】
風力発電機設置需要家Ａは、商用電源の電力系統５の主開閉器６と電力量計７と、その需要家Ａ内の交流負荷３に給電すると共に、余剰電力を蓄電池設置者Ｂに給電するために発電する風力発電機１と、蓄電池２への系統の主開閉器６とを備えたものである。交流負荷３には個々に開閉器８を備えている。風力発電機１は小形のものが適している。また、風力発電機１には直流を交流に変換して出力するインバータ９を介して交流負荷３に接続する。この交流負荷３とは、例えば家庭内のエアコン、冷蔵庫、洗濯機等の交流機器がある。
【００１７】
ここで風力発電機設置需要家Ａは、一般家庭を主に想定しているが、小形の風力発電機１を設置できる状態の施設であれば、一般家庭に限定されず、後述するように事業所、文化施設、体育施設等も含まれる。
【００１８】
蓄電池設置者Ｂは、各風力発電機設置需要家Ａの夜間等の電力需要が少ない時に発電する電力を充電する蓄電池２を備えたものである。この蓄電池２に充電しておき、昼間に中小規模の事業所等の中小事業者Ｃにこの蓄電池２から電気を供給するようになっている。
【００１９】
蓄電池設置者Ｂは、風力発電機１からの系統の主開閉器６と、コンバータ１０と、蓄電池２と、直流を交流に変換して出力するインバータ９と中小事業者への系統の主開閉器６と、を備えている。本発明のシステムでは、後述の図６に示すように、風力発電機設置需要家Ａは複数あるが、この蓄電池設置者Ｂは、その地域で１箇所あれば十分である。設備コストの低減を図るためである。
【００２０】
中小事業者Ｃは、商用電源の電力系統５の主開閉器６と、蓄電池設置者Ｂからの系統の主開閉器６と、中小事業者Ｃ内の製造機器等の交流負荷３とを備えたものである。この中小事業者Ｃは、例えば製品の製造工場のように昼間に多量の電力を消費する施設をいう。
【００２１】
本発明の小形風力発電蓄電システムには、図２と図３に示すように、風力発電機１の出力電流と風力発電機設置需要家Ａの交流負荷３の変化に対し、蓄電池２への出力電流を制御する電力制御装置４とを備えている。この電力制御装置４は、風力発電機１の出力電流を検出する出力電流検出手段１１と、風力発電機設置需要家Ａ内での負荷量を検出する需要家負荷電流検出手段１２と、商用電源等の電力系統５からの電流を検出する電流検出手段１３と、風力発電機設置需要家Ａから蓄電池設置者Ｂへ流れる電流を検出する電流検出手段１４と、蓄電池設置者Ｂから中小事業者Ｃへ流れる電流を検出する電流検出手段１５とから成る。更に、主開閉器６を開閉するかどうかを判定する主開閉器判定手段１６と、電力料金の金額を判定する電力料金判定手段１７とを備えている。
【００２２】
この電力制御装置４は、風力発電機１で発電した電気の一部を風力発電機設置需要家Ａ内で利用し、その余剰電力は蓄電池２に蓄電し、蓄電池２の電気を中小事業者Ｃに供給するように制御する。
【００２３】
電力制御装置４は、図３の構成を示すブロック図に示すように、データ入力・変換部２１及びマイクロコンピュータなどを主体とした中央処理・演算部２２を中心として構成されている。中央処理・演算部２２には、風力発電機１の出力電流、その風力発電機設置需要家Ａの負荷電流３、電力系統５からの電流、風力設置需要家Ａから蓄電池設置者Ｂへ流れる電流、蓄電池設置者Ｂから中小事業者Ｃへ流れる電流がデータ入力・変換部２１を介して入力される。
【００２４】
中央処理・演算部２２において作成された制御信号は、演算結果変換・出力部２３を介して、蓄電池２への系統の主開閉器６の開閉を制御する制御信号として出力される。
【００２５】
風力発電機１の出力電流検出手段１１と需要家負荷電流検出手段１２で、風力発電機１の出力より需要家Ａの交流負荷３が大きい時に主開閉器６を開放するように制御する。
更に、昼夜、土曜日、日曜日、休日による一般需要家Ａの需要実績から、需要家Ａの風力系統を蓄電池Ｂ側に切り替えるように制御するようになっている。
【００２６】
更に、電力制御装置４による電力料金の計算について、ある一定期間の各需要家Ａ、蓄電池設置者Ｂ、中小事業者Ｃの電力需給出来高から電力料金を演算することができる。
【００２７】
同時に、中央処理・演算部２２には、電力系統５の電力料金、風力発電機設置需要家Ａの夜間の通常時の売電電力料金、土曜日、日曜日、休日等における風力発電機設置需要家Ａの売電電力料金、蓄電池設置者Ｂから中小事業者Ｃへの売電電力料金がデータ入力・変換部２１を介して入力される。中央処理・演算部２２において、各需要家Ａ、蓄電池設置者Ｂ、中小事業者Ｃの電力料金がそれぞれ計算される。
【００２８】
図４は本発明の小形風力発電蓄電システムにおける電力の流れを示す概略説明図であり、（ａ）は昼間等の放電状態であり、（ｂ）は夜間等の充電状態である。
昼間のように風力発電機設置需要家Ａの電力需要が多いときに、図４（ａ）に示すように、風力発電機設置需要家Ａの風力発電機１で発電した電気はその風力発電機設置需要家Ａの交流負荷３に給電する。このときは、風力発電機１で発電した電気は蓄電池設置者Ｂの蓄電池２に充電しない。
一方、中小事業者Ｃは、商用電源の電力系統５と共に、既に蓄電池設置者Ｂの蓄電池２に受電された電気が給電される。
【００２９】
夜間、休日等の風力発電機設置需要家Ａの電力需要が少ないときに、図４（ｂ）に示すように、風力発電機設置需要家Ａの風力発電機１で発電した電気はその風力発電機設置需要家Ａの交流負荷３に給電すると共に、その余剰電力を蓄電池設置者Ｂの蓄電池２に充電する。このとき蓄電池設置者Ｂの蓄電池２から中小事業者Ｃへ電気を供給しない。これは、商用電源の安価な夜間料金を利用するためである。なお、必要に応じて蓄電池２から中小事業者Ｃへ電気を供給することは勿論可能である。
【００３０】
図５は曜日別の電力の流れを示す概略説明図である。
風力発電機設置需要家Ａが学校の場合は、一般的に土曜日と日曜日は電力需要が少ない。同様に風力発電機設置需要家Ａがファミリーレストランの場合は、土曜日と日曜日以外の平日は電力需要が少ない。風力発電機設置需要家Ａが図書館の場合は、月曜日のような休館日は電力需要が少ない。そこで、このような風力発電機設置需要家Ａの電力需要が少ないときには昼夜に関係なく、風力発電機１で発電した電気はその風力発電機設置需要家Ａの交流負荷３に給電すると共に、その余剰電力を蓄電池設置者Ｂの蓄電池２に充電する。同時に中小事業者Ｃには商用電源の電力系統５と共に、蓄電池設置者Ｂの蓄電池２から給電されるようにすることができる。
【００３１】
図６は実施例１の小形風力発電蓄電システムを用いたコミュニティにおける複数の風力発電機で発電した電力の流れについて、夜間の充電状態から昼間の放電状態への切り替えを示す概略説明図である。
本発明の風力発電機１で発電した電気は、一般家庭、コンビニ、図書館、ファミリーレストラン、学校のような複数の風力発電機設置需要家Ａから、蓄電池設置者Ｂの蓄電池２へ個々の系統に接続する。夜間では、各風力発電機１で発電した電気はそのまま蓄電池２に充電する。このとき発電した電気は風力発電機設置需要家Ａでは利用しない。
昼間では、各風力発電機１で発電した電気は、各風力発電機設置需要家Ａで利用すると共に、その余剰電力は蓄電池２に充電する。なお、図示例では、中小事業者Ｃを１箇所のみ表示しているが、この中小事業者Ｃを複数設置することも可能である。
【実施例２】
【００３２】
図７は実施例２の小形風力発電蓄電システムの基本構成を示すブロック図である。
上記した実施例１のシステムでは、風力発電機１で発電した電気はその風力発電機設置需要家Ａの交流負荷３に給電すると共に、その余剰電力を蓄電池設置者Ｂの蓄電池２に充電する構成にした。実施例２のシステムでは、風力発電機１の系統を風力発電機設置需要家Ａの系統を完全に切り離すことができるようにしたものである。そこで、この実施例２のシステムは、風力発電機設置需要家Ａは、商用電源の電力系統５の主開閉器６と、蓄電池設置者Ｂへの系統の主開閉器６と、風力発電機１の余剰電力を蓄電池設置者Ｂに給電する系統の主開閉器６と、風力発電機設置需要家Ａ内の交流負荷３に給電する系統の主開閉器６とを備えたものである。
【００３３】
この実施例２のシステムは、風力発電機設置需要家Ａの風力発電機１で発電した電気は蓄電池設置者Ｂの蓄電池２に充電する一方、中小事業者Ｃは商用電源の電力系統５と共に、蓄電池設置者Ｂの蓄電池２から給電される。このように構成すれば、風力発電機１で発電した電気は全て蓄電池設置者Ｂの蓄電池２に充電するので、余剰電力であるかどうかを判定する必要がなく、電力の流れの制御が簡単になる。
【００３４】
図８は実施例２の小形風力発電蓄電システムを用いたコミュニティにおける複数の風力発電機で発電した電力の流れについて、夜間の充電状態から昼間の放電状態への切り替えを示す概略説明図である。
実施例２では、一般家庭、コンビニ、図書館、ファミリーレストラン、学校のような複数の風力発電機設置需要家Ａから、蓄電池設置者Ｂの蓄電池２へ共通の系統に接続する。夜間では、各風力発電機１で発電した電気はそのまま蓄電池２に充電する。昼間では、各風力発電機１で発電した電気は、各需要家Ａで利用すると共に、その余剰電力を蓄電池２に充電する。
【００３５】
なお、本発明の小形風力発電蓄電システムは、小形の風力発電１と蓄電池２とを組み合わせて利用することで、風力発電機１による電力量を効率よく活用し、また、この風力発電機１による電力を直接商用系統５につながないので風力発電機１に複雑な制御装置等を装置する必要がなく、その風力発電機１の設備を装置する需要家Ａの周辺で電気エネルギーの需給を図り、エネルギーコストの低減を図ることができれば、上述した発明の実施の形態に限定されず、本発明の要旨を逸脱しない範囲で種々変更できることは勿論である。
【産業上の利用可能性】
【００３６】
本発明の小形風力発電蓄電システム及びその制御方法は、一般のビル以外に学校、病院、工場のビルにも利用することができる。
【図面の簡単な説明】
【００３７】
【図１】本発明の実施例１の小形風力発電蓄電システムの基本構成を示すブロック図である。
【図２】電力制御装置の制御方法の説明図である。
【図３】電力制御装置の構成を示すブロック図である。
【図４】本発明の小形風力発電蓄電システムにおける電力の流れを示す概略説明図であり、（ａ）は昼間等の放電状態であり、（ｂ）は夜間等の充電状態である。
【図５】曜日別の電力の流れを示す概略説明図である。
【図６】実施例１の小形風力発電蓄電システムを用いたコミュニティにおける複数の風力発電機で発電した電力の流れについて、夜間の充電状態から昼間の放電状態への切り替えを示す概略説明図である。
【図７】実施例２の小形風力発電蓄電システムの基本構成を示すブロック図である。
【図８】実施例２の小形風力発電蓄電システムを用いたコミュニティにおける複数の風力発電機で発電した電力の流れについて、夜間の充電状態から昼間の放電状態への切り替えを示す概略説明図である。
【符号の説明】
【００３８】
１  風力発電機
２  蓄電池
３  交流負荷
４  電力制御装置
５  商用電源の電力系統
６  主開閉器
１１  風力発電機の出力電流検出手段
１２  需要家負荷電流検出手段
１３  電力系統の電流検出手段
１４  蓄電池設置者への電流検出手段
１５  中小事業者への電流検出手段
Ａ  風力発電機設置需要家（需要家）
Ｂ  蓄電池設置者
Ｃ  中小事業者
【図１】
2007318844.tif 000003
【図２】
2007318844.tif 000004
【図３】
2007318844.tif 000005
【図４】
2007318844.tif 000006
【図５】
2007318844.tif 000007
【図６】
2007318844.tif 000008
【図７】
2007318844.tif 000009
【図８】
2007318844.tif 000010